(57)【特許請求の範囲】
【請求項１】
ケースへカバーを取付けるためのカバー取付構造であって、
前記ケース及びカバーのうち、どちらか一方に形成された挿入用の貫通孔と、
前記ケース及びカバーのうち、どちらか他方に形成され前記貫通孔へ挿入されるアームと、
合成樹脂で成形され、前記貫通孔の一方の開口側に位置し、前記アームの貫通孔への挿入動作でアームに形成された突起に当接して前記ケース又はカバーの離脱方向移動を阻止すると共に、ケース又はカバーが離脱方向へ移動すると根元部分が折れ又は破断して破壊される係合アームと、
前記貫通孔の他方の開口側に位置し、前記アームが挿入されるとき、アームを弾性変形させて前記開口を閉塞させ前記開口からの異物挿入を阻止する阻止手段と、
を有することを特徴とするカバー取付構造。
【請求項２】
ケースへカバーを取付けるためのカバー取付構造であって、
前記ケース及びカバーのうち、どちらか一方に形成された挿入用の貫通孔と、
前記ケース及びカバーのうち、どちらか他方に形成され前記貫通孔へ挿入されるアームと、
合成樹脂で成形され、前記貫通孔の一方の開口側に位置し、前記アームの貫通孔への挿入動作でアームに形成された突起に当接して前記ケース又はカバーの離脱方向移動を阻止し、ケース又はカバーが離脱方向へ移動したとき破壊される係合アームと、
前記貫通孔の他方の開口側に位置し、前記アームが挿入されるとき、アームを弾性変形させて前記開口を閉塞させ前記開口からの異物挿入を阻止する阻止手段と、
を有することを特徴とするカバー取付構造。
【発明の詳細な説明】
【０００１】
【産業上の利用分野】
本発明はケースへカバーを取り付けるための取付構造に関する。
【０００２】
【従来の技術】
箱状とされたカバーやケースを互いに結合させて、内部に部品や貯蔵品の収容空間を形成する構成において、これらのカバーとケースを係合構造にするとともに、この係合を不用意に離脱不能とするシール機能を付与する必要のある場合がある。
【０００３】
たとえば、この箱の内部に秘密書類や暗唱番号、又は変更を阻止する機能部品や電子回路を収容し、この箱の係合が破壊されこれらの秘密性が不用意に解除されたり、電子回路の機能が変更された場合には、外観から容易に判断できる構造とするのが好ましい。
【０００４】
このためには、一般的にケースとカバーの結合合わせ面に低強度の紙等のシールを貼付し、結合がケースとカバーとが分離されるとこのシールが破断されることにより、外観変化でこれを検出するものが多い。
【０００５】
しかし、シールが破断されてもケースとカバーとは結合されていたり、別の新規又は偽造のシールを貼付してある場合には、外観からはその箱が不用意に開放されたか否かが不明瞭の場合もある。
【０００６】
【発明が解決しようとする課題】
本発明は上記事実を考慮し、ケースとカバーとを結合すると共に、このケースとカバーとを分離し難く、分離後は結合を不能とするカバー取付構造を得ることを目的としている。
【０００７】
【課題を解決するための手段】
本出願の請求項１に係る発明は、ケースへカバーを取付けるためのカバー取付構造であって、前記ケース及びカバーのうち、どちらか一方に形成された挿入用の貫通孔と、前記ケース及びカバーのうち、どちらか他方に形成され前記貫通孔へ挿入されるアームと、合成樹脂で成形され、前記貫通孔の一方の開口側に位置し、前記アームの貫通孔への挿入動作でアームに形成された突起に当接して前記ケース又はカバーの離脱方向移動を阻止すると共に、ケース又はカバーが離脱方向へ移動すると根元部分が折れ又は破断して破壊される係合アームと、前記貫通孔の他方の開口側に位置し、前記アームが挿入されるとき、アームを弾性変形させて前記開口を閉塞させ前記開口からの異物挿入を阻止する阻止手段と、を有することを特徴としている。
本出願の請求項２に係る発明は、ケースへカバーを取付けるためのカバー取付構造であって、前記ケース及びカバーのうち、どちらか一方に形成された挿入用の貫通孔と、前記ケース及びカバーのうち、どちらか他方に形成され前記貫通孔へ挿入されるアームと、合成樹脂で成形され、前記貫通孔の一方の開口側に位置し、前記アームの貫通孔への挿入動作でアームに形成された突起に当接して前記ケース又はカバーの離脱方向移動を阻止し、ケース又はカバーが離脱方向へ移動したとき破壊される係合アームと、前記貫通孔の他方の開口側に位置し、前記アームが挿入されるとき、アームを弾性変形させて前記開口を閉塞させ前記開口からの異物挿入を阻止する阻止手段と、を有することを特徴としている。
【０００９】
【作用】
本出願の発明では、ケースへカバーを取り付けるにあたって、カバーをケースへと合わせると、ケース及びカバーのうち、どちらか一方、たとえばカバーに形成された貫通孔へ、ケースに形成されたアームを挿入する。貫通孔の一方の開口側には合成樹脂製の係合アームを設け、アームの貫通孔への挿入動作でアームに形成された突起に当接させる。これにより、ケース又はカバーの離脱方向移動を阻止すると共に、ケース又はカバーが離脱方向へ移動すると、係合アームの根元部分が折れ又は破断して破壊されるようにする。また、貫通孔の他方の開口側には阻止手段を設け、アームが挿入されるとき、アームを弾性変形させて開口を閉塞させ開口からの異物挿入を阻止するようにする。
【００１１】
【実施例】
（全体構成）
図１、２は本発明の第１実施例に係る取付構造が示されており、制御手段を構成する回路ボックス１２は表示器である表示モジュール１４を介してセット板１６へと搭載されている。このセット板１６は予めパチンコ器の遊技盤（ゲージ盤）１８へねじ止め、嵌め込みなどによって固定されている。図５に示される如くセット板１６に形成される表示窓１６Ａを通して表示モジュール１４の表示部（図５の底面）が露出される。
（回路ボックス１２の構成）
図３に示される如く回路ボックス１２はカバー部材であるボックスカバー２２とベース部材であるボックスケース２４とを有し、これらは互いに開口部が対向した箱形状とされ各々合成樹脂で一体構造とされると共に、結合された内部に制御回路等の制御手段本体（図示省略）が収容される。
【００１２】
ボックスカバー２２の側部一部にはボックスカバー開口部にかけて切欠部２６が形成され、ボックスケース２４の側壁からさらに高く立設した壁２８がこの切欠部２６内へ入り込むことによって切欠部２６を塞ぎ、この切欠部２６と壁２８にかけて封印用シール（図示省略）が貼付される。
【００１３】
このボックスカバー２２とボックスケース２４との連結構造を説明すると、ボックスカバー２２の外周の反対側の二箇所にはそれぞれ２個のブロック部２９が突出しており、これらのブロック部２９間へ合成樹脂製のアンカー板３２が固着されている。このためアンカー板３２とボックスカバー２２との間には図１、４の上下方向に通ずる貫通孔３２Ａが形成されることになる。これらのアンカー板３２はボックスカバー２２の側壁へ向けて片持ち腕状のアーム３３が各々一体的に突出しており、ボックスケース２４の立設部３４と平行状に突出されたアーム３６の突起部３６Ａと対応している。このためボックスカバー２２がボックスケース２４へ合致されると図４（Ａ）〜（Ｂ）の矢印Ａに示される如く、ボックスカバー２２の側壁が立設部３４とアーム３６との間へ挿入されるのにともない、アーム３３とアーム３６の突起部３６Ａが互に当ってこれらの一方は又は双方が離反方向に弾性変形し、挿入量が図４（Ｂ）まで達すると弾性復帰してアーム３３の上端がアーム３６の突起部３６Ａと係合し、ボックスカバー２２とボックスケース２４との係合状態を維持する。アーム３６の幅寸法（図４の奥行き寸法）は、一対のブロック部２９間の間隔と略同一となっている。また、図３に示されるごとく、立設部３４の両側にはボックスケース２４の側壁から立設部３４Ａが立設部３４とは直角に突出しているが、この立設部３４Ａはボックスカバー２２及びブロック部２９の形成されたスリット２９Ａへ挿入されて補強用となる。
【００１４】
ボックスカバー２２の外周には一対のブロック部２９の間に、アーム３６と対応して三角形状の突起３８が開口３２Ａ内へ開口寸法を狭くするように突出しており、この三角形状の突起３８の上端（図４の左端）とアンカー板３２の表面（図４の右端）との間隔は狭く、アーム３６の上端部幅よりも若干だけ広くなっている。ボックスカバー２２はボックスケース２４と係合した状態で図４（Ｂ）に示される如くアーム３６の先端部付近を立設部３４から離間させる方向へと弾性変形させる。この変形は塑性変形、すなわち永久変形であってもよい。これによってアーム３６はアンカー板３２の上端部付近へ接近または接触し、アンカー板３２とボックスカバー２２の側壁との間の貫通孔３２Ａの上端部付近へ介在され、これを閉塞する。この結果アンカー板３２とボックスカバー２２の側壁との間が閉塞され、これらの間へドライバー等の治具を挿入することができなくなり、アーム３３を突起部３６Ａから離脱させる作業が不可能となる。このアーム３６が弾性変形されない状態又は、突起部３６Ａよりも先が切除されている場合には、アンカー板３２とカバー２２の側壁との間へドライバー等を挿入してアンカー板３２等を変形できるので、係合が解除されることになる。ボックスカバー２２とボックスケース２４との結合状態で、ボックスカバー２２をボックスケース２４から離脱するためには、図３、図４の上方向へ強く引っ張ってアーム３３を破壊しなくてはならない。
（表示モジュール１４の構成）
表示モジュール１４は図５に示される如くモジュールカバー４２とモジュールケース４４を備えており、これらが二分割形状とされて、係合状態では内部に液晶などの表示器本体（図示省略）を収容した箱形状とされる。これらのモジュールカバー４２とモジュールケース４４とはボックスカバー２２、ボックスケース２４と同様に箱状とされ、各々合成樹脂で一体的に形成されている。
【００１５】
モジュールカバー４２はその頂面４２Ａに複数個の互に平行な細長状の係合開口４６が形成されている。これらの係合開口４６は一端部が幅広部４６Ａとされ、ボックスケース２４の底面に形成された複数のＬ字突起４８が各々矢印Ｂ方向へ挿入されるようになっている。これらのＬ字突起４８は、ボックスケース２４の底面から直角に突出する基部４８Ａの先端が直角に屈曲されてボックスケース２４の底面と略平行とされた屈曲部４８Ｂとされている。この状態でボックスケース２４をモジュールカバー４２の表面へスライドさせるようにＬ字突起４８の長手方向（図５の矢印Ｃ方向）へ移動させるとＬ字突起４８の基部４８Ａが係合開口４６内へ入り込み、先端にある屈曲部４８Ｂはモジュールケース４４の内側で係合開口４６の周縁部と係合して、ボックスケース２４の矢印Ｂ方向と反対方向への離脱を阻止する。Ｌ字突起４８にはボックスケース２４の矢印Ｃ方向への挿入量を制限する直角壁４８Ｃが形成されている。また幅広部４６Ａの一部はモジュールカバー４２の側面にかけても形成されている。
【００１６】
このようにボックスケース２４がモジュールカバー４２へ係合された状態では矢印Ｃ方向と反対方向への移動を阻止するべく図６に示される略３角形状の係合爪５２がボックスケース２４の裏面に形成されている。すなわちボックスケース２４の側壁上端から形成した略平行状のスリット５３（図３参照）によって基部５４Ａのみがボックスケース２４の裏面と一体的に連結したアーム５４が形成され、このアーム５４の底面に係合爪５２が形成されている。したがってアーム５４は弾性力を有し、ボックスケース２４が矢印Ｃ方向への挿入によってモジュールカバー４２と当って基部５４Ａを中心に弾性変形してボックスケース２４内へ押し込まれ、矢印Ｃ方向の挿入量が所定値になるとモジュールカバー４２の頂面に形成した凹部５５内へ入り込んで弾性復帰し、ボックスケース２４の矢印Ｃ方向と反対方向へのスライドを阻止する。
【００１７】
モジュールカバー４２は図５の下端部である開口部付近の内径が拡大された拡径部５７を有しており、この拡径部５７内へモジュールケース４４の側壁上端部が収容される状態でモジュールカバー４２とモジュールケース４４とが互に合致されるようになっている。このモジュールカバー４２とモジュールケース４４との係合状態を維持する係合手段の詳細が図７に示されている。すなわちモジュールケース４４の側壁外周部の３箇所に形成されるアーム５８（図５では残りの２箇所のアーム５８は裏側となるので見えていない）はその基部がモジュールケース４４の側壁へ一体的に固着されて下方に向いており、このアーム５８の下端部は、両端部がモジュールカバー４２の側壁に固着される固定係合腕５９の中間部と対応し、図７（Ｂ）に示される如くモジュールカバー４２をモジュールケース４４へと結合させる。すなわち図７（Ａ）の如くモジュールカバー４２の矢印Ｄ方向への押下動作で、アーム５８は係合腕５９と当って弾性変形し、押下量が所定値になると弾性復帰して、図７（Ｂ）のようにアーム５８の下端が係合腕５９の上面へ係合する。なお、アーム５８の下端部にはコ字状の操作部６０の両脚部が一体的に連結され、この操作部６０を図７の左方向へと押込み操作することによってアーム５８と係合腕５９との係合を解除してモジュールカバー４２をモジュールケース４４から取外すことができる。
【００１８】
モジュールケース４４の底面にはモジュールカバー４２の頂面に形成された係合開口４６、幅広部４６Ａと同様形状の係合開口６２、幅広部６２Ａの組合せが設けられている。したがって回路ボックス１２をモジュールカバー４２の頂面から取り外した後にモジュールケース４４の底面へと係合させることができる。この回路ボックス１２をＬ字突起４８を用いてモジュールケース４４の底面へ係合した状態ではモジュールケース４４の開口部４４Ａから露出される表示モジュール１４の表示部を覆って表示面を保護する。但し、モジュールケース４４の底面に形成される係合開口６２、幅広部６２Ａは図５の平面的に見て、モジュールカバー４２とは逆方向とされ、回路ボックス１２の挿入方向が逆（矢印Ｆ方向）となっている。
（セット板１６の構成）
モジュールカバー４２の側壁外周（図５の背面側）には図９に示される如く一対の爪６４が突出しており、セット板１６から立設された門型の係合アーム６５の先端爪部６５Ａへと係合される。これらの係合アーム６５は図９（Ａ）のモジュールカバー４２が矢印Ｅ方向へ押下げられるのに従い、爪６４と当って弾性変形し、所定挿入量で図９（Ｂ）のように弾性復帰し、爪６５Ａと係合する。図９には一対の爪６４のうち一方のみが図示され、他方は同一上下位置で図９の紙面手前に同一形状で配置される。またモジュールカバー４２からはこれらの爪６４の反対側の側壁外周へ係合アーム６６が突出している。この係合アーム６６はモジュールカバー４２の外周へ突出される平行壁７０を介して、図５、８の下端部６６Ａがモジュールカバー４２へ固着され、上端部の爪部６６Ｂがこの下端部６６Ａを中心に図８の左右へ弾性変形可能とされている。この係合アーム６６はセット板１６から立設された門型の係合アーム６７の先端部爪６７Ａへ弾性変形後の復帰で図８（Ｂ）に示されるように係合し、係合アーム６５と爪６４との組合せとともに表示モジュール１４をセット板１６へ係合させる手段を構成している。
【００１９】
係合アーム６６の上端部には門型の延長部６８が立設され、この延長部６８を手動操作によってモジュールカバー４２の側壁へ接近させる方向に移動させると係合アーム６６が係合アーム６７と離間して表示モジュール１４を爪６４を中心に旋回させながらセット板１６から離脱できる。
【００２０】
なお回路ボックス１２の内部に設けられる制御装置は図示しない配線によって表示モジュール１４の内部に設けられる液晶表示部を備えた表示モジュールである表示器本体と連結される。
【００２１】
次に本実施例の作用を説明する。
ボックスカバー２２とボックスケース２４とは内部に回路基盤などの制御手段本体を収容した後に両者を合致させ、図４に示される如くアーム３６を開口３２Ａ内へ下側から挿入する。この挿入によって、アーム３３、３６が互いに当接し、これらが弾性変形し、挿入量が多くなるとアーム３３は突起３６Ａを通過するので、弾性変形が解除方向に移動し図４（Ｂ）のように係合する。
【００２２】
これと同時に３角形状の突起３８はアーム３６の先端付近を変形させてアンカー板３２へ押圧し、貫通孔３２Ａの上端開口に介在され、これを閉塞する。このため、もはやこの貫通孔３２Ａへドライバー、その他の治具等の異物を挿入できず、係合が不可能となる。なお、一般的にアンカー板３２をボックスカバー２２へ取り付けているビス３２Ｂは隣接する他の部品によって覆われているので、これを取り外すことはできないが、必要であればこのアンカー板３２はボックスカバー２２へ溶着等の手段で固定もしくは一体成形できる。
【００２３】
このように、ボックスカバー２２がボックスケース２４へ固定されているので、ボックスカバー２２を無理にボックスケース２４から取り外そうとすると、アーム３３等が破壊されることになり、その後の係合が不可能となるので破壊され内部が不適法に操作変更された状態が外観で判断できる。この破壊後の再結合が不可能な状態をさらに外観から明瞭にするために、ボックスカバー２２とボックスケース２４とを離反方向に付勢しておいてもよい。
【００２４】
また表示モジュール１４も同様にモジュールカバー４２とモジュールケース４４とを内部に表示器本体などを収容した状態で図７に示される如く互いに重ね合わせてアーム５８を係合腕５９と係合させる。このように回路ボックス１２、表示モジュール１４を各々内部に制御手段本体や表示器本体を収容した状態でユニット化した後に回路ボックス１２を表示モジュール１４へと係合させる。
【００２５】
この係合は図５の矢印Ｂ方向に回路ボックス１２を重ね合わせてＬ字突起４８を幅広部４６Ａ内に挿入した後に矢印Ｃ方向へと移動させアーム５４の係合爪５２をモジュールカバー４２の凹部５５へと嵌め込む。これによって回路ボックス１２は簡単かつ容易に表示モジュール１４と係合される。この状態で表示モジュール１４を矢印Ｅ方向にセット板１６へと押圧すれば、図９の如く係合アーム６５が爪６４と係合し、図８の如く係合アーム６６が係合アーム６７と係合する。これによって表示モジュール１４内の液晶表示手段が開口部４４Ａ、表示窓１６Ａを通して遊技盤１８の表面へと露出して組付が完了する。
【００２６】
回路ボックス１２、表示モジュール１４の内部に故障が発生した場合には、モジュールカバー４２の延長部６８を操作してモジュールカバー４２の側面へと接近させれば係合アーム６６の先端爪部６６Ａが係合アーム６７の爪部６７Ａとの係合を解除し、表示モジュール１４をセット板１６から取り外すことができる。この取り外した状態で回路ボックス１２のアーム５４を押し上げて係合爪５２を凹部５５から外し、回路ボックス１２を表示モジュール１４から離脱させることができる。この回路ボックス１２をそのＬ字突起４８を用いてさらにモジュールケース４４の底面と係合させれば、表示モジュール１４の表示面は回路ボックス１２によって閉止されることになるので、運搬中に表示面に傷付き等を生ずることはない。なおこの回路ボックス１２をモジュールケース４４の底面へ係合させた状態でＬ字突起４８の係合開口６２からの離脱を防ぐためにモジュールケース４４の底面には凹部５５と同様形状の凹部が形成されている。
【００２７】
なお、上記実施例においては回路ボックス１２を表示モジュール１４へ結合させる手段としてＬ字突起４８と係合開口４６の組合せ及び、アーム５４の係合爪５２と凹部５５の組合せを用いたが、表示モジュール１４をセット板１６へ結合させるのと同様の構造を適用してもよく、回路ボックス１２を表示モジュールへ離脱可能に取り付ける構造であれば、レール、フック等の他の構造も全て適用できる。
【００２８】
上記第１実施例で示した回路ボックスと表示モジュールとの係合方向（矢印Ｃ方向）はこれと直角方向に回路ボックスと表示モジュールを係合させる構成とすることも可能である。また本発明は、パチンコ遊技機に限らず、また電子回路や制御手段を収容する場合に限らず、ケースとカバーとを結合する場合に広く適用できる。
【００２９】
【発明の効果】
本発明は上記の構成としたので、ケースとカバーとを結合すると共に、このケースとカバーとを分離し難く、分離後は結合を不能とするカバー取付構造を得ることができる。
【図面の簡単な説明】
【図１】本発明の第１実施例を示す縦断面図である。
【図２】図１の右側面図である。
【図３】図１の回路ボックスの分解斜視図である。
【図４】図１のボックスカバーとボックスケースとの係合関係を示す断面図である。
【図５】図１の表示モジュール及びセット板を示す分解斜視図である。
【図６】回路ボックスの表示モジュールへの係合部を示す図１の６−６線断面図である。
【図７】モジュールカバーのモジュールケースへの取付部を示す図１の７−７線断面図である。
【図８】モジュールケースのセット板への取付部を示す図１の８−８線断面図である。
【図９】モジュールケースのセット板への他の取付部を示す図５の９−９線断面図である。
【符号の説明】
１２      回路ボックス
１４      表示モジュール
１６      セット板
１８      遊技盤
２２      ボックスカバー（カバー）
２４      ボックスケース（ケース）
３２Ａ    貫通孔
３３      アーム（係合アーム）
３６      アーム
３８      突起（阻止手段）
【図１】
0003709208.tif 000002
【図２】
0003709208.tif 000003
【図３】
0003709208.tif 000004
【図４】
0003709208.tif 000005
【図５】
0003709208.tif 000006
【図６】
0003709208.tif 000007
【図７】
0003709208.tif 000008
【図８】
0003709208.tif 000009
【図９】
0003709208.tif 000010